(57)【要約】【課題】製造時の環境負荷を大きく低減する配線板およびその製造方法を提供すること。【解決手段】樹脂素材の絶縁層と、底面と上面とを有し、底面が絶縁層の第１の主面と段を持たないようにかつ上面が絶縁層の第２の主面と段を持たないように、第１の絶縁層を貫通して設けられた、導電性組成物素材でできた密構造の層間接続導体と、層間接続導体の底面の全領域に接触するように絶縁層の第１の主面上に設けられた、導電性組成物素材でできた、または金属微粒子の凝集で膜形状に至っている、または付着された有機金属ペーストから有機物が除去されて金属膜に至っている配線パターンと、層間接続導体の上面の全領域に接触するように絶縁層の第２の主面上に設けられた、導電性組成物素材でできた、または金属微粒子の凝集で膜形状に至っている、または付着された有機金属ペーストから有機物が除去されて金属膜に至っている配線パターンとを具備する。【選択図】図１
2014179517.tif 000002
【特許請求の範囲】
【請求項１】
第１の主面と該第１の主面に対向する第２の主面とを有する、樹脂素材の絶縁層と、
底面と上面とを有し、該底面が前記絶縁層の前記第１の主面と段を持たないようにかつ該上面が前記絶縁層の前記第２の主面と段を持たないように、前記第１の絶縁層の前記第１の主面から前記第２の主面まで貫通して設けられた、導電性組成物素材でできた密構造の層間接続導体と、
前記層間接続導体の前記底面の全領域に接触するように前記絶縁層の前記第１の主面上に設けられた、導電性組成物素材でできた第１の配線パターンと、
前記層間接続導体の前記上面の全領域に接触するように前記絶縁層の前記第２の主面上に設けられた、導電性組成物素材でできた第２の配線パターンと
を具備する配線板。
【請求項２】
第１の主面と該第１の主面に対向する第２の主面とを有する、樹脂素材の絶縁層と、
底面と上面を有し、該底面が前記絶縁層の前記第１の主面と段を持たないようにかつ該上面が前記絶縁層の前記第２の主面と段を持たないように、前記第１の絶縁層の前記第１の主面から前記第２の主面まで貫通して設けられた、導電性組成物素材でできた密構造の層間接続導体と、
前記層間接続導体の前記底面の全領域に接触するように前記絶縁層の前記第１の主面上に設けられた、金属微粒子の凝集で膜形状に至っている第１の配線パターンと、
前記層間接続導体の前記上面の全領域に接触するように前記絶縁層の前記第２の主面上に設けられた、金属微粒子の凝集で膜形状に至っている第２の配線パターンと
を具備する配線板。
【請求項３】
第１の主面と該第１の主面に対向する第２の主面とを有する、樹脂素材の絶縁層と、
底面と上面を有し、該底面が前記絶縁層の前記第１の主面と段を持たないようにかつ該上面が前記絶縁層の前記第２の主面と段を持たないように、前記第１の絶縁層の前記第１の主面から前記第２の主面まで貫通して設けられた、導電性組成物素材でできた密構造の層間接続導体と、
前記層間接続導体の前記底面の全領域に接触するように前記絶縁層の前記第１の主面上に設けられた、付着された有機金属ペーストから有機物が除去されて金属膜に至っている第１の配線パターンと、
前記層間接続導体の前記上面の全領域に接触するように前記絶縁層の前記第２の主面上に設けられた、付着された有機金属ペーストから有機物が除去されて金属膜に至っている第２の配線パターンと
を具備する配線板。
【請求項４】
前記層間接続導体が、前記絶縁層の厚み方向に一致する軸を有する形状であり、該軸の方向に径が変化する形状である請求項１ないし３のいずれか１項記載の配線板。
【請求項５】
前記層間接続導体が、前記絶縁層の厚み方向に一致する軸を有する形状であり、該軸の方向に径が変化しない形状である請求項１ないし３のいずれか１項記載の配線板。
【請求項６】
前記第１の配線パターンおよび前記第２の配線パターンが、ＡｇまたはＣｕを含有している請求項１記載の配線板。
【請求項７】
前記第１の配線パターンおよび前記第２の配線パターンが、Ａｇ、Ｃｕ、またはＡｕを含有している請求項２記載の配線板。
【請求項８】
前記第１の配線パターンおよび前記第２の配線パターンが、Ａｕ、Ａｇ、またはＰｔを含有している請求項３記載の配線板。
【請求項９】
第１の主面と該第１の主面に対向する第２の主面とを有するプリプレグ層に貫通孔を形成する工程と、
前記プリプレグ層の前記貫通孔内にペースト状の導電性組成物を充填する工程と、
前記貫通孔内に前記導電性組成物が充填された前記プリプレグ層の上下面を挟むように２つの離型シートを積層配置し、積層方向に加圧かつ加熱して、前記貫通孔内の前記導電性組成物が前記プリプレグ層の前記第１の主面と段を持たないようにかつ前記プリプレグ層の前記第２の主面とも段を持たないように前記プリプレグ層および前記導電性組成物を塑性変形させつつ硬化する工程と、
前記プリプレグ層が硬化した絶縁層から前記２つの離型シートを剥がす工程と、
前記プリプレグ層の前記第１の主面に対応する面である、前記２つの離型シートが剥がされた前記絶縁層の一方の面に現れた前記導電性組成物の領域をすべて覆うように、該一方の面上に導電性組成物ペースト、金属ナノペースト、または有機金属ペーストを由来とする配線パターンを第１の配線パターンとして形成する工程と、
前記プリプレグ層の前記第２の主面に対応する面である、前記２つの離型シートが剥がされた前記絶縁層の他方の面に現れた前記導電性組成物の領域をすべて覆うように、該他方の面上に導電性組成物ペースト、金属ナノペースト、または有機金属ペーストを由来とする配線パターンを第２の配線パターンとして形成する工程と
を具備する配線板の製造方法。
【請求項１０】
第１の離型シート上に、ペースト状の導電性組成物をバンプ形状に付着させる工程と、
前記第１の離型シート上に付着された前記導電性組成物を乾燥して導電性バンプを形成する工程と、
前記第１の離型シートの前記導電性バンプが形成された面上に、第１の主面と該第１の主面に対向する第２の主面とを有するプリプレグ層の該第１の面を向けて積層して、該プリプレグ層に前記導電性バンプを貫通させる工程と、
前記第１の離型シートを伴いかつ前記導電性バンプが貫通された前記プリプレグ層の前記第２の主面に対向して第２の離型シートを積層配置し、積層方向に加圧かつ加熱して、前記導電性バンプの頭部が前記プリプレグ層の前記第２の主面と段を持たないように前記プリプレグ層および前記導電性バンプを塑性変形させつつ該プリプレグ層および該導電性バンプを硬化する工程と、
前記プリプレグ層が硬化した絶縁層から前記第１、第２の離型シートを剥がす工程と、
前記プリプレグ層の前記第１の主面に対応する面である、前記第１、第２の離型シートが剥がされた前記絶縁層の一方の面に現れた前記導電性バンプの領域をすべて覆うように、該一方の面上に導電性組成物ペースト、金属ナノペースト、または有機金属ペーストを由来とする配線パターンを第１の配線パターンとして形成する工程と、
前記プリプレグ層の前記第２の主面に対応する面である、前記第１、第２の離型シートが剥がされた前記絶縁層の他方の面に現れた前記導電性バンプの領域をすべて覆うように、該他方の面上に導電性組成物ペースト、金属ナノペースト、または有機金属ペーストを由来とする配線パターンを第２の配線パターンとして形成する工程と
を具備する配線板の製造方法。
【請求項１１】
前記第１の配線パターンを形成する工程および前記第２の配線パターンを形成する工程が、該第１、第２の配線パターンになる素材を前記絶縁層上にスクリーン印刷する工程を含んでいる請求項９または１０記載の配線板の製造方法。
【請求項１２】
前記第１の配線パターンを形成する工程および前記第２の配線パターンを形成する工程が、該第１、第２の配線パターンになる素材を前記絶縁層上にディスペンスする工程を含んでいる請求項９または１０記載の配線板の製造方法。
【発明の詳細な説明】
【技術分野】
【０００１】
本発明は、導電路がパターン化されて設けられている基板である配線板およびその製造方法に係り、特に、製造で生じる環境負荷の低減に適する配線板およびその製造方法に関する。
【背景技術】
【０００２】
今日、高密度実装用の配線板は各種の電子機器の高機能化、小型軽量化などを支える基盤技術として多用されている。配線板における導電路としては、板面の広がる方向（横方向）には、エッチング加工でパターン化された銅箔が主に使用され、板の厚み方向（縦方向）には、スルーホールの内壁にめっきで成長させた銅層が使用されるか、または近年は導電性組成物で構成された密構造の層間接続導体が使用されている。また、横方向の導電路として、めっきで銅などの金属パターンを形成した配線板も存在する。
【０００３】
導電路の形成方法を環境負荷という観点で捉えたとき、銅箔をエッチング加工する場合は、化学薬品や工業用水を大量に必要とする点が大きな負荷になる。使用済みの化学薬品や工業用水を処理するために多大な処理設備を要するためである。また、めっきで銅層や銅パターンを形成する場合は、化学薬品や工業用水を使用することによる負荷のほか、電解めっき法の利用により大量の電気を要する点も環境負荷の要因に挙げられる。
【０００４】
それらの点で、縦方向の導電路として導電性組成物由来の層間接続導体を使用した配線板は、製造時の環境負荷が相対的に非常に小さいと考えられる。しかしながら、このような配線板であっても、横方向の導電路の形成については依然上記のような負荷要因を抱えているのが現状である。近年、環境問題への対応から、配線板の製造工程においても化学薬品や工業用水、電気エネルギーなどをできるだけ節約できる構造や工法が求められている。
【先行技術文献】
【特許文献】
【０００５】
【特許文献１】特開平６−２６８３４５号公報
【発明の概要】
【発明が解決しようとする課題】
【０００６】
本発明は、製造時の環境負荷を大きく低減することができる配線板およびその製造方法を提供することを目的とする。
【課題を解決するための手段】
【０００７】
上記の課題を解決するため、本発明の一態様である配線板は、第１の主面と該第１の主面に対向する第２の主面とを有する、樹脂素材の絶縁層と、底面と上面とを有し、該底面が前記絶縁層の前記第１の主面と段を持たないようにかつ該上面が前記絶縁層の前記第２の主面と段を持たないように、前記第１の絶縁層の前記第１の主面から前記第２の主面まで貫通して設けられた、導電性組成物素材でできた密構造の層間接続導体と、前記層間接続導体の前記底面の全領域に接触するように前記絶縁層の前記第１の主面上に設けられた、導電性組成物素材でできた第１の配線パターンと、前記層間接続導体の前記上面の全領域に接触するように前記絶縁層の前記第２の主面上に設けられた、導電性組成物素材でできた第２の配線パターンとを具備する。
【０００８】
この配線板は、板基材として樹脂素材の絶縁層を有し、横方向の導電路として導電性組成物素材でできた第１、第２の配線パターンを有し、縦方向の導電路として導電性組成物素材でできた密構造の層間接続導体を有している。したがって、縦横両方向の導電路とも、エッチングやめっきなどのウエットプロセスで形成されたものでなく、また電解めっきのような電気を大きく消費するプロセスで形成されたものでもない。よって、製造時の環境負荷を大きく低減することができる。
【０００９】
ここで、導電性組成物素材でできた密構造の層間接続導体は、底面と上面とを有し、その底面が絶縁層の一方の（第１の）主面と段を持たず、かつその上面が絶縁層の他方（第２の）主面と段を持たないような形状で設けられている。そして、第１の主面上では、層間接続導体の底面の全領域に接触するように第１の配線パターンが設けられ、第２の主面上では、層間接続導体の上面の全領域に接触するように第２の配線パターンが設けられている。これらの関係は、第１、第２の配線パターンを絶縁層の両面上に設ける際の信頼性確保のためである。
【００１０】
すなわち、絶縁層が層間接続導体の貫通された部位を含めて平坦にされていれば、絶縁層の第１、第２の主面上に導電性組成物素材でできた第１、第２の配線パターンを形成する際に、主面表面に乱れがないので配線パターンを制御性よく良好な形状で描くことができる。もし配線パターンの形状が不整の場合は層間接続導体と配線パターンとの電気的接続の信頼性に影響する。そして、この配線板では、第１（第２）の配線パターンが層間接続導体の底面（上面）の全領域に接触するように形成されることにより、それらの間の電気的接続の信頼性がより高められている。
【００１１】
また、本発明の別の態様である配線板は、第１の主面と該第１の主面に対向する第２の主面とを有する、樹脂素材の絶縁層と、底面と上面を有し、該底面が前記絶縁層の前記第１の主面と段を持たないようにかつ該上面が前記絶縁層の前記第２の主面と段を持たないように、前記第１の絶縁層の前記第１の主面から前記第２の主面まで貫通して設けられた、導電性組成物素材でできた密構造の層間接続導体と、前記層間接続導体の前記底面の全領域に接触するように前記絶縁層の前記第１の主面上に設けられた、金属微粒子の凝集で膜形状に至っている第１の配線パターンと、前記層間接続導体の前記上面の全領域に接触するように前記絶縁層の前記第２の主面上に設けられた、金属微粒子の凝集で膜形状に至っている第２の配線パターンとを具備する。
【００１２】
この配線板においても次の点が言える。すなわち、この配線板は、板基材として樹脂素材の絶縁層を有し、横方向の導電路として金属微粒子の凝集で膜形状に至っている第１、第２の配線パターンを有し、縦方向の導電路として導電性組成物素材でできた密構造の層間接続導体を有している。したがって、縦横両方向の導電路とも、エッチングやめっきなどのウエットプロセスで形成されたものでなく、また電解めっきのような電気を大きく消費するプロセスで形成されたものでもない。よって、製造時の環境負荷を大きく低減することができる。
【００１３】
そして、この配線板においても、次の点が言える。すなわち、絶縁層が層間接続導体の貫通された部位を含めて平坦にされており、絶縁層の第１、第２の主面上に金属微粒子を凝集させて膜形状に第１、第２の配線パターンを形成する際に、主面表面に乱れがないのでそれらの配線パターンを制御性よく良好な形状で描くことができる。そして、この配線板では、第１（第２）の配線パターンが層間接続導体の底面（上面）の全領域に接触するように形成されることにより、それらの間の電気的接続の信頼性がより高められている。
【００１４】
また、本発明のさらに別の態様である配線板は、第１の主面と該第１の主面に対向する第２の主面とを有する、樹脂素材の絶縁層と、底面と上面を有し、該底面が前記絶縁層の前記第１の主面と段を持たないようにかつ該上面が前記絶縁層の前記第２の主面と段を持たないように、前記第１の絶縁層の前記第１の主面から前記第２の主面まで貫通して設けられた、導電性組成物素材でできた密構造の層間接続導体と、前記層間接続導体の前記底面の全領域に接触するように前記絶縁層の前記第１の主面上に設けられた、付着された有機金属ペーストから有機物が除去されて金属膜に至っている第１の配線パターンと、前記層間接続導体の前記上面の全領域に接触するように前記絶縁層の前記第２の主面上に設けられた、付着された有機金属ペーストから有機物が除去されて金属膜に至っている第２の配線パターンとを具備する。
【００１５】
この配線板においても次の点が言える。すなわち、この配線板は、板基材として樹脂素材の絶縁層を有し、横方向の導電路として、付着された有機金属ペーストから有機物が除去されて金属膜に至っている第１、第２の配線パターンを有し、縦方向の導電路として導電性組成物素材でできた密構造の層間接続導体を有している。したがって、縦横両方向の導電路とも、エッチングやめっきなどのウエットプロセスで形成されたものでなく、また電解めっきのような電気を大きく消費するプロセスで形成されたものでもない。よって、製造時の環境負荷を大きく低減することができる。
【００１６】
そして、この配線板においても、次の点が言える。すなわち、絶縁層が層間接続導体の貫通された部位を含めて平坦にされており、絶縁層の第１、第２の主面上に有機金属ペーストを付着しその有機物を除去して金属膜の第１、第２の配線パターンを形成する際に、主面表面に乱れがないので配線パターンを制御性よく良好な形状で描くことができる。そして、この配線板では、第１（第２）の配線パターンが層間接続導体の底面（上面）の全領域に接触するように形成されることにより、それらの間の電気的接続の信頼性がより高められている。
【００１７】
また、本発明のさらに別の態様である配線板の製造方法は、第１の主面と該第１の主面に対向する第２の主面とを有するプリプレグ層に貫通孔を形成する工程と、前記プリプレグ層の前記貫通孔内にペースト状の導電性組成物を充填する工程と、前記貫通孔内に前記導電性組成物が充填された前記プリプレグ層の上下面を挟むように２つの離型シートを積層配置し、積層方向に加圧かつ加熱して、前記貫通孔内の前記導電性組成物が前記プリプレグ層の前記第１の主面と段を持たないようにかつ前記プリプレグ層の前記第２の主面とも段を持たないように前記プリプレグ層および前記導電性組成物を塑性変形させつつ硬化する工程と、前記プリプレグ層が硬化した絶縁層から前記２つの離型シートを剥がす工程と、前記プリプレグ層の前記第１の主面に対応する面である、前記２つの離型シートが剥がされた前記絶縁層の一方の面に現れた前記導電性組成物の領域をすべて覆うように、該一方の面上に導電性組成物ペースト、金属ナノペースト、または有機金属ペーストを由来とする配線パターンを第１の配線パターンとして形成する工程と、前記プリプレグ層の前記第２の主面に対応する面である、前記２つの離型シートが剥がされた前記絶縁層の他方の面に現れた前記導電性組成物の領域をすべて覆うように、該他方の面上に導電性組成物ペースト、金属ナノペースト、または有機金属ペーストを由来とする配線パターンを第２の配線パターンとして形成する工程とを具備する。
【００１８】
この製造方法は、上記の各配線板を製造するためのひとつの方法である。
【００１９】
また、本発明のさらに別の態様である配線板の製造方法は、第１の離型シート上に、ペースト状の導電性組成物をバンプ形状に付着させる工程と、前記第１の離型シート上に付着された前記導電性組成物を乾燥して導電性バンプを形成する工程と、前記第１の離型シートの前記導電性バンプが形成された面上に、第１の主面と該第１の主面に対向する第２の主面とを有するプリプレグ層の該第１の面を向けて積層して、該プリプレグ層に前記導電性バンプを貫通させる工程と、前記第１の離型シートを伴いかつ前記導電性バンプが貫通された前記プリプレグ層の前記第２の主面に対向して第２の離型シートを積層配置し、積層方向に加圧かつ加熱して、前記導電性バンプの頭部が前記プリプレグ層の前記第２の主面と段を持たないように前記プリプレグ層および前記導電性バンプを塑性変形させつつ該プリプレグ層および該導電性バンプを硬化する工程と、前記プリプレグ層が硬化した絶縁層から前記第１、第２の離型シートを剥がす工程と、前記プリプレグ層の前記第１の主面に対応する面である、前記第１、第２の離型シートが剥がされた前記絶縁層の一方の面に現れた前記導電性バンプの領域をすべて覆うように、該一方の面上に導電性組成物ペースト、金属ナノペースト、または有機金属ペーストを由来とする配線パターンを第１の配線パターンとして形成する工程と、前記プリプレグ層の前記第２の主面に対応する面である、前記第１、第２の離型シートが剥がされた前記絶縁層の他方の面に現れた前記導電性バンプの領域をすべて覆うように、該他方の面上に導電性組成物ペースト、金属ナノペースト、または有機金属ペーストを由来とする配線パターンを第２の配線パターンとして形成する工程とを具備する。
【００２０】
この製造方法は、上記の各配線板を製造するための別の方法である。
【発明の効果】
【００２１】
本発明によれば、製造時の環境負荷を大きく低減することができる配線板およびその製造方法を提供することができる。
【図面の簡単な説明】
【００２２】
【図１】一実施形態である配線板の構造を模式的に示す断面図。
【図２】図１に示した配線板の製造過程を断面で模式的に示す工程図。
【図３】別の実施形態である配線板（多層配線板）の構造を模式的に示す断面図。
【図４】図３に示した配線板の主要な製造過程を断面で模式的に示す工程図。
【図５】さらに別の実施形態である配線板の構造を模式的に示す断面図。
【図６】図５に示した配線板の製造過程を断面で模式的に示す工程図。
【図７】さらに別の（第４の）実施形態である配線板（多層配線板）の構造を模式的に示す断面図。
【図８】図７に示した配線板の主要な製造過程を断面で模式的に示す工程図。
【発明を実施するための形態】
【００２３】
本発明の実施態様として、前記層間接続導体が、前記絶縁層の厚み方向に一致する軸を有する形状であり、該軸の方向に径が変化する形状である、とすることができる。このように軸の方向に径が変化する形状の層間接続導体は、例えば、ペースト状に調製された導電性組成物を被印刷物面上にスクリーン印刷して得たバンプを由来として得ることができる。スクリーン印刷による形成ができるので生産効率が非常によい。
【００２４】
また、実施態様として、前記層間接続導体が、前記絶縁層の厚み方向に一致する軸を有する形状であり、該軸の方向に径が変化しない形状である、とすることもできる。このように軸の方向に径が変化しない形状の層間接続導体は、例えば、あらかじめ形成されたプリプレグ層の貫通孔内に、ペースト状に調製された導電性組成物をスクリーン印刷で充填して得られた密構造体を由来として得ることができる。この場合も、プリプレグ層に貫通孔を設ける工程が増加するものの、その後はスクリーン印刷によって形成できるので生産効率がよい。
【００２５】
また、実施態様として、前記第１の配線パターンおよび前記第２の配線パターンが、ＡｇまたはＣｕを含有している、とすることができる。これは、第１、第２の配線パターンが、導電性組成物素材でできている場合に採用し易い態様である。銀（Ａｇ）の微粒子を含有する導電性組成物は、層間接続導体ではすでに多用されており実績がある。銅（Ｃｕ）の微粒子を含有する導電性組成物は、より安価であるためコストダウンに向いている。銀や銅を含有するほかにも、組成物に導電性を与えるために種々の導電微粒子を混ぜることができる。
【００２６】
また、実施態様として、前記第１の配線パターンおよび前記第２の配線パターンが、Ａｇ、Ｃｕ、またはＡｕを含有している、とすることができる。これは、第１、第２の配線パターンが、金属微粒子の凝集で膜形状に至っている場合に採用し易い態様である。特に、銀（Ａｇ）、銅（Ｃｕ）、金（Ａｕ）の場合は、金属ナノペーストを由来として配線パターンが形成された場合の態様として容易に得られる。
【００２７】
また、実施態様として、前記第１の配線パターンおよび前記第２の配線パターンが、Ａｕ、Ａｇ、またはＰｔを含有している、とすることができる。これは、第１、第２の配線パターンが、付着された有機金属ペーストから有機物が除去されて金属膜に至っている場合に採用し易い態様である。金（Ａｕ）、銀（Ａｇ）、プラチナ（Ｐｔ）の場合は、このように有機金属ペーストを由来として配線パターンが形成された場合の態様として容易に得られる。
【００２８】
また、製造方法としての実施態様として、前記第１の配線パターンを形成する工程および前記第２の配線パターンを形成する工程が、該第１、第２の配線パターンになる素材を前記絶縁層上にスクリーン印刷する工程を含んでいる、とすることができる。このようにスクリーン印刷により配線パターンを形成すれば、生産性の向上につながる。
【００２９】
また、実施態様として、前記第１の配線パターンを形成する工程および前記第２の配線パターンを形成する工程が、該第１、第２の配線パターンになる素材を前記絶縁層上にディスペンスする工程を含んでいる、とすることができる。このようにディスペンスすることにより配線パターンを形成すれば、スクリーン版も不要であり少量多品種生産にも向いている。
【００３０】
以上を踏まえ、以下では本発明の実施形態を図面を参照しながら説明する。図１は、一実施形態である配線板の構造を模式的に示す断面図である。図１に示すように、この配線板は、絶縁層１１、層間接続導体１２、配線パターン１３、１４、はんだレジスト１５、１６を有する。この図示された配線板は、両主面上に配線パターン１３、１４を有するいわゆる両面配線板であり、配線パターン１３、１４間の電気的導通のために層間接続導体１２を有している、配線板として非常に基本的な構造である。後述するが、内層配線層を含む多層配線板として構成することも容易に対応可能である（図３、図４）。
【００３１】
絶縁層１１は、第１の主面（図示で下面）とこれに対向する第２の主面（図示で上面）とを有する、典型的には、例えばガラスエポキシ樹脂のような硬質（リジッド）な素材の層である。このような素材に代えて、配線板としての用途によってはポリイミド樹脂のような軟質（フレキシブル）な素材を利用することもできる。絶縁層１１の厚さは、配線板としての用途に応じ、例えば数十μｍから数百μｍとすることができる。
【００３２】
層間接続導体１２は、底面と上面とを有し、底面が絶縁層１１の第１の主面と段を持たないようにかつ上面が絶縁層１１の第２の主面と段を持たないように、絶縁層１１の第１の主面から第２の主面まで貫通して設けられた、導電性組成物素材でできた密構造の導体である。この層間接続導体１２は、その製造過程に依拠して、絶縁層１１の厚み方向に一致する軸を有する形状（例えば横断面が円状）であり、この軸の方向に径が変化しない形状に形成されている。円状の横断面をもつ形状の場合、その直径は、例えば１００μｍ前後（１００μｍの１／３から３倍程度）とすることができる。
【００３３】
このように軸の方向に径が変化しない形状の層間接続導体１２は、後述するが、例えばあらかじめ形成されたプリプレグ層の貫通孔内に、ペースト状に調製された導電性組成物をスクリーン印刷で充填して得られた密構造体を由来として得ることができる。
【００３４】
層間接続導体１２の素材となる、このような導電性組成物は、例えば熱硬化性のペースト状樹脂の中に微細な金属粒（銀、金、銅、はんだなど）や炭素粒を分散させ、加えて揮発性の溶剤を混合しておくことによりペースト状に調製することができる。これ自体は周知である。特に金属粒子として銀の微粒子を含有する導電性組成物は、層間接続導体として多用され実績がある。銅の微粒子を含有する導電性組成物は、より安価であるためコストダウンに向いている。
【００３５】
配線パターン１３は、例えば導電性組成物素材でできており、層間接続導体１２の底面の全領域に接触するように絶縁層１１の第１の主面上に設けられている。配線パターン１４も、例えば導電性組成物素材でできており、層間接続導体１２の上面の全領域に接触するように絶縁層１１の第２の主面上に設けられている。その厚さは、例えば数μｍから十数μｍとすることができる。
【００３６】
配線パターン１３、１４の素材としては、例えば、層間接続導体１２の素材と同じものを使用することができる。すなわち、配線パターン１３、１４は、あらかじめ層間接続導体１２が備えられた絶縁層１１の両主面上に、ペースト状に調製された導電性組成物を例えばスクリーン印刷でパターン形成したものを由来として得ることができる。このようなパターン形成は、スクリーン印刷に代えてディスペンサを使用して行うことも可能である。
【００３７】
はんだレジスト１５、１６は、それぞれ、配線パターン１３、１４のうちの部品（不図示）が電気的に接続、実装される領域（ランド）を除き絶縁層１１の両主面全面に形成された保護膜である。その機能は、はんだ接続時に溶融したはんだをランド部分に留めその後は配線パターン１３、１４を物理的、化学的に保護することである。その厚さはそれぞれ例えば２０μｍ程度にすることができる。配線パターン１３、１４が銅を含むなど腐食性を有する場合には、特にランド部分の表層に、必要に応じて耐腐食性の高いＮｉ／Ａｕのめっき層（不図示）を形成するようにしてもよい。
【００３８】
以上説明したように、この配線板は、板基材として樹脂素材の絶縁層１１を有し、横方向の導電路として導電性組成物素材でできた配線パターン１３、１４を有し、縦方向の導電路として導電性組成物素材でできた密構造の層間接続導体１２を有している。したがって、縦横両方向の導電路とも、エッチングやめっきなどのウエットプロセスで形成されたものでなく、また電解めっきのような電気を大きく消費するプロセスで形成されたものでもない。よって、製造時の環境負荷を大きく低減することができる。
【００３９】
ここで、導電性組成物素材でできた密構造の層間接続導体１２は、底面と上面とを有し、その底面が絶縁層１１の第１の主面と段を持たず、かつその上面が絶縁層１１の第２の主面と段を持たないような形状で設けられている。そして、第１の主面上では、層間接続導体１２の底面の全領域に接触するように配線パターン１３が設けられ、第２の主面上では、層間接続導体１２の上面の全領域に接触するように配線パターン１４が設けられている。よって、これらの関係により、配線パターン１３、１４を絶縁層１１の両面上に設ける際の信頼性が高められている。
【００４０】
すなわち、絶縁層１１が層間接続導体１２の貫通された部位を含めて平坦にされているので、絶縁層１１の第１、第２の主面上に導電性組成物素材でできた配線パターン１３、１４を形成する際に、主面表面に乱れがなく配線パターン１３、１４を制御性よく良好な形状で描くことができる。そして、この配線板では、配線パターン１３、１４が層間接続導体１２の底面および上面の全領域に接触するように形成されることにより、それら間の接触面積が大きくされ、電気的接続の信頼性がより高められている。
【００４１】
層間接続導体１２の底面および上面が絶縁層１１の主面と段を持たない点については、例えば、配線パターン１３、１４をスクリーン印刷やディスペンサで微細に描く際に、その層間接続導体１２との電気的接続の信頼性が十分に確保され得る程度に平坦にするような観点で製造過程を管理すればよい。この平坦さは、配線パターン１３、１４の膜厚が例えば数μｍから十数μｍに形成されることを考慮すると、この膜厚から無視できる程度の平坦さである（少なくとも配線パターン１３、１４の膜厚よりは凹凸の寸法が小さい）と設定することができる。
【００４２】
以上実施形態を説明したが、図１に示した配線板には、配線パターン１３、１４の素材を変更した以下の変形例が考えられる。そのひとつは、導電性組成物素材に代えて、金属ナノペーストを用いその含有する金属微粒子を凝集させて膜形状に至らせ配線パターン１３、１４を形成した形態である。このような金属ナノペーストによる配線パターン１３、１４も、あらかじめ層間接続導体１２が備えられた絶縁層１１の両主面上に、金属ナノペーストを例えばスクリーン印刷でパターン形成して得ることができる。このパターン形成の場合も、スクリーン印刷に代えてディスペンサを使用することが可能である。
【００４３】
金属ナノペーストとは、被覆剤などを含む溶剤中に粒径数ｎｍの金属微粒子を分散させペースト状に調製したものである。ペースト状であるため、各種印刷におけるインクとして取り扱うことが可能であり、ディスペンサにおけるディスペンス対象物としても向いている。このような粒子サイズになると、量子サイズ効果がはたらき比較的低温度で焼成することができる。焼成で溶剤は除去され、その結果、金属微粒子が凝集して膜形状の配線パターン１３、１４を得ることができる。金属ナノペースト中の金属微粒子としては、銀、銅、金の微粒子を例示できる。
【００４４】
このような金属ナノペーストによる変形例でも、製造時の環境負荷を大きく低減することができる点は上記説明の配線板と何ら変わらない。また、層間接続導体１２と配線パターン１３、１４との電気的接続の信頼性の点も上記説明の配線板と変わらない。
【００４５】
また、金属ナノペーストを使用するものとは別の変形例として、導電性組成物素材に代えて有機金属ペーストを用い、絶縁層１１上に付着されたその有機金属ペーストから有機物を除去して金属膜に至らせ配線パターン１３、１４を形成した形態を挙げることができる。このような有機金属ペーストによる配線パターン１３、１４も、あらかじめ層間接続導体１２が備えられた絶縁層１１の両主面上に、有機金属ペーストを例えばスクリーン印刷でパターン形成して得ることができる。このパターン形成の場合も、スクリーン印刷に代えてディスペンサを使用することが可能である。
【００４６】
有機金属ペーストとは、金属原子と有機分子とを結合させた化合物を含んだペースト状の物体である。金属そののもの粒子は含まれていない。ペースト状であるため、やはり、各種印刷におけるインクとして取り扱うことが可能であり、ディスペンサにおけるディスペンス対象物としても向いている。絶縁層１１上に膜状に付着させた有機金属ペーストを焼成することで、化合物から有機物を除去して金属膜に至らせることができる。有機金属ペーストに含まれる金属原子としては、金、銀、プラチナなどを例示することができる。
【００４７】
このような有機金属ペーストによる変形例でも、製造時の環境負荷を大きく低減することができる点は上記説明の配線板と何ら変わらない。また、層間接続導体１２と配線パターン１３、１４との電気的接続の信頼性の点も上記説明の配線板と変わらない。
【００４８】
次に、図１に示した配線板の製造工程について図２を参照して説明する。図２は、図１に示した配線板の製造過程を断面で模式的に示す工程図である。図２中において、図１中に示した構成要素と同一または同一相当のものには同一符号を付してある。
【００４９】
まず、図２（ａ）に示すように、絶縁層とすべきその前駆体であるプリプレグ層１１Ａの所定位置（層間接続導体を形成するべき位置）にビアホール（貫通孔）１１ｏを例えばドリリングで形成する。ドリリングに代えてレーザ加工を利用することもできる。レーザ加工を利用した場合、ビアホール１１ｏの縦断面形状は、レーザを照射した手前の側より奥側の径が多少小径になる可能性がある。レーザ光のスポットのエネルギー密度が、通常、周縁より中心でより高いためである。このように、ビアホール１１ｏは、プリプレグ層１１Ａの厚み方向に径の変化しないもの、するものいずれであってもよい。
【００５０】
次に、図２（ｂ）に示すように、プリプレグ層１１Ａに形成されたビアホール１１ｏ内にペースト状の導電性組成物１２Ａを、例えばスクリーン印刷を用いて充填する。スクリーン印刷を行うためには、あらかじめ、ビアホール１１ｏの位置に相当した位置にピットを有するスクリーン版を用意しておき、これを利用する。ペースト状の導電性組成物１２Ａについては、層間接続導体１２を形成するための「ペースト状に調製された導電性組成物」としてすでに説明を行った。導電性組成物１２Ａの充填にスクリーン印刷を用いれば、その効率は非常に高い。
【００５１】
次に、図２（ｃ）に示すように、ビアホール１１ｏ内に導電性組成物１２Ａが充填されたプリプレグ層１１Ａの上下面を挟むように２つの離型シートＳ１、Ｓ２を積層配置する。そして、その状態で積層方向に加圧かつ加熱して、ビアホール１１ｏ内の導電性組成物１２Ａがプリプレグ層１１Ａの両主面と段を持たないように、プリプレグ層１１Ａおよび導電性組成物１２Ａを塑性変形させつつ硬化する。硬化後、プリプレグ層１１Ａが硬化して変化した絶縁層１１から２つの離型シートＳ１、Ｓ２を剥がす。
【００５２】
これにより、図２（ｄ）に示すように、絶縁層１１と層間接続導体１２とを有する、貫通導体埋入絶縁板１を得ることができる。この貫通導体埋入絶縁板１は、所定位置に貫通して導体が埋入されている点で特異な構成であるが、その表面（両主面）の平坦性は、単なる絶縁板の場合とほとんど変わらない状態になっている。
【００５３】
次に、図２（ｅ）に示すように、少なくとも、絶縁層１１の一方の面に現れた層間接続導体１２の領域をすべて覆うように、この一方の面上に導電性組成物ペースト（または金属ナノペーストか有機金属ペースト）のパターン（処理前パターン１３Ａ）を、例えばスクリーン印刷で形成する。同様に、少なくとも、絶縁層１１の他方の面に現れた層間接続導体１２の領域をすべて覆うように、この他方の面上に導電性組成物ペースト（または金属ナノペーストか有機金属ペースト）のパターン（処理前パターン１４Ａ）を、例えばスクリーン印刷を用いて形成する。
【００５４】
すでに述べた点であるが、これらのスクリーン印刷によるパターン形成は、ディスペンサによるパターン形成に代えることもできる。以上のようにして処理前パターン１３Ａ、１４Ａを形成後、それらの素材に対応した熱処理を行うことにより、処理前パターン１３Ａ、１４Ａを配線パターン１３、１４として完成させることができる。その後は図示しないが、さらにはんだレジスト１５、１６の形成や必要に応じて配線パターン１３、１４の部品実装用のランド領域部分にＮｉ／Ａｕのめっき層を形成することにより、図１に示した構成の配線板を得ることができる。
【００５５】
なお、補足すると、図２（ｄ）に示した構成の貫通導体埋入絶縁板１は、個別の配線板用ではない汎用品として製造しても有用である。すなわち、汎用品とするため、例えば、層間接続導体１２をグリッド状（格子点状）の配置で設ける。このような構成であれば、ユーザは、貫通導体埋入絶縁板１を用いて、その設けられた層間接続導体１２のうちの必要なものだけを利用するように、処理前パターン１３Ａ、１４Ａの形成以降の工程を行うことができる。層間接続導体１２のうちで配線パターン１３、１４に電気的に接続されず利用されないものは、電気的にはそのまま残される。
【００５６】
このような汎用品としての貫通導体埋入絶縁板１を用いる場合には、配線パターン１３、１４の形成にディスペンサを用いると、スクリーン版を一切用いることなく配線板を完成させることも可能であり、少量多品種や一品物の配線板を製造する方法として好適であると考えられる。
【００５７】
次に、図３は、別の実施形態である配線板（多層配線板）の構造を模式的に示す断面図である。図３において、図１中に示した構成要素と同一または同一相当のものには同一符号を付してある。その部分については、付け加えるべき事項がない限り説明を省略する。
【００５８】
この配線板は、図１に示した配線板の構造を基本として、配線層数を増加して多層配線板とした構造のものである。内層配線層として配線パターン１４、３３を有し、最外の（主面上の）配線パターンとして配線パターン１３、３４を有する。配線パターン１３と同１４との間に絶縁層１１が位置し、配線パターン１４と同３３との間に絶縁層２１が位置し、配線パターン３３と同３４との間に絶縁層３１が位置している。内層の配線パターン２２、３３は、それぞれ、絶縁層２１の厚み方向に落ち込んで位置している。最外の配線パターン３４（１３）が設けられた主面上には、はんだレジスト３５（１５）が形成されている。
【００５９】
そして、配線パターン１３と同１４との電気的導通に層間接続導体１２を利用できるのと同様に、配線パターン１４と同３３との電気的導通には層間接続導体２２を利用することができ、配線パターン３３と同３４との電気的導通には層間接続導体３２を利用することができる。層間接続導体２２は、絶縁層２１を貫通して設けられており、層間接続導体３２は、絶縁層３１を貫通して設けられている。この多層配線板は、以上のような構成を有する。
【００６０】
図４は、図３に示した配線板の主要な製造過程を断面で模式的に示す工程図である。具体的に、多層化するための最終的な積層工程を示している。図４において、図３中に示した構成要素と同一または同一相当のものには同一符号を付してある。
【００６１】
図４において、図示もっとも下に示された積層部材は、図２（ｅ）に示した途中構成のものの工程を進行させ、処理前パターン１３Ａ、１４Ａを配線パターン１３、１４として完成させた構成のものである。図４において、図示もっとも上に示された積層部材は、符号を読み替えれば、図示もっとも下に示されたこの積層部材と同じ構成のものである。そして、図示中間に示された積層部材は、絶縁層２１とすべきその前駆体であるプリプレグ層２１Ａに形成されたビアホールにペースト状の導電性組成物２２Ａが充填されたものである（図２（ｂ）に示した段階と同じ段階）。
【００６２】
図４に示すように３つの積層部材を配置し、積層方向に加圧かつ加熱して、ビアホール内の導電性組成物２２Ａが配線パターン１４および配線パターン３３と接触して電気的導通を確立し、プリプレグ層２１Ａおよび導電性組成物２２Ａが塑性変形して間を埋めるように、全体を一体化する。その後は図示しないが、さらにはんだレジスト１５、３５の形成や必要に応じて配線パターン１３、３４の部品実装用のランド領域部分にＮｉ／Ａｕのめっき層を形成することにより、図３に示した構成の配線板を得ることができる。以上説明のように、図１で説明の構成上の利点、効果を維持して、多層配線板も容易に製造することができる。
【００６３】
次に、さらに別の実施形態について図５を参照して説明する。図５は、さらに別の実施形態である配線板の構造を模式的に示す断面図である。同図においてすでに説明した図中に示したものと同一または同一相当のものには同一符号を付してある。その部分については加える事項がない限り説明を省略する。
【００６４】
この配線板は、図１に示したものと比較して、層間接続導体１２に代えて形状がやや異なる層間接続導体１０２を有する点が相違点である。構造的にほかは同じである。層間接続体１０２は、絶縁層１１の厚み方向に一致する軸を有する形状であり、軸の方向に径が変化する形状になっている。このような層間接続導体１０２は、例えば、ペースト状に調製された導電性組成物を被印刷物面上にスクリーン印刷して得たバンプを由来として得ることができる。絶縁層１１の前駆体であるプリプレグ層に層間接続導体用の穴あけが不要で、かつスクリーン印刷によって形成できるので生産効率が非常によい。
【００６５】
層間接続導体１０２は、図示するように例えば円錐台状の形状であり、その直径は太い側で例えば１００μｍ前後とすることができる。層間接続導体１０２の素材については、図１を参照した層間接続導体１２での説明と同じである。
【００６６】
この配線板も、横方向の導電路として導電性組成物素材でできた配線パターン１３、１４を有し、縦方向の導電路として導電性組成物素材でできた密構造の層間接続導体１０２を有していることから、以下が言える。すなわち、縦横両方向の導電路とも、エッチングやめっきなどのウエットプロセスで形成されたものでなく、また電解めっきのような電気を大きく消費するプロセスで形成されたものでもない。よって、製造時の環境負荷を大きく低減することができる。
【００６７】
導電性組成物素材でできた密構造の層間接続導体１０２も、層間接続導体１２（図１参照）と同様、底面と上面とを有し、その底面が絶縁層１１の第１の主面と段を持たず、かつその上面が絶縁層１１の第２の主面と段を持たないような形状で設けられている。そして、第１の主面上では、層間接続導体１０２の底面の全領域に接触するように配線パターン１３が設けられ、第２の主面上では、層間接続導体１０２の上面の全領域に接触するように配線パターン１４が設けられている。したがって、これらの関係により、配線パターン１３、１４を絶縁層１１の両面上に設ける際の信頼性が高められている。
【００６８】
なお、配線パターン１３、１４については、これを、導電性組成物素材によるものとする代わりに、図１に示した実施形態の変形例として説明した形態と同様に、金属ナノペーストを由来とするもの、有機金属ペーストを由来とするものに変更することができる。
【００６９】
次に、図５に示した配線板の製造工程について図６を参照して説明する。図６は、図５に示した配線板の製造過程を断面で模式的に示す工程図である。図６中において、図５中に示した構成要素と同一または同一相当のものには同一符号を付してある。
【００７０】
まず、図６（ａ）に示すように、離型シートＳ１を用意し、その面上に層間接続導体１０２とすべき円錐形状の導電性バンプ１０２Ａを、ペースト状の導電性組成物をスクリーン印刷で付着させ形成する。付着後、塑性変形可能な程度に乾燥させる。導電性バンプ１０２Ａの形成位置は、配線板として層間接続導体１０２が必要な位置に相当する位置である。
【００７１】
導電性バンプ１０２Ａの素材については、層間接続導体１２（図１）の場合での説明と同じである。導電性バンプ１０２Ａの形成はスクリーン印刷によるので、その効率は非常に高い。導電性バンプ１０２Ａの形成高さは、その後に貫通させるプリプレグ層１１Ａ（図６（ｂ））を十分に貫通できる高さにする。そのため、バンプ形状を積み増すように乾燥工程を挟みながらスクリーン印刷を複数回行ってもよい。
【００７２】
次に、図６（ｂ）に示すように、離型シートＳ１の導電性バンプ１０２Ａが形成された面上にプリプレグ層１１Ａを積層して、プリプレグ層１１Ａに導電性バンプ１０２Ａを貫通させる。プリプレグ層１１Ａにあらかじめ穴あけは不要である。続いて、図６（ｃ）に示すように、プリプレグ層１１Ａに対向して離型シートＳ２を積層配置し、積層方向に加圧かつ加熱して、導電性バンプ１０２Ａの頭部がプリプレグ層１１Ａの離型シートＳ２側の主面と段を持たないように、プリプレグ層１１Ａおよび導電性バンプ１０２Ａを塑性変形させつつプリプレグ層１１Ａおよび導電性バンプ１０２Ａを硬化する。
【００７３】
硬化後、プリプレグ層１１Ａが硬化して変化した絶縁層１１から２つの離型シートＳ１、Ｓ２を剥がす。これにより、図６（ｄ）に示すように、絶縁層１１と層間接続導体１０２とを有する、貫通導体埋入絶縁板１Ａを得ることができる。この貫通導体埋入絶縁板１Ａも、図２中に示した貫通導体埋入絶縁板１と同様に、所定位置に貫通して導体が埋入されている点で特異な構成であるが、その表面（両主面）の平坦性は、単なる絶縁板の場合とほとんど変わらない状態になっている。貫通導体埋入絶縁板１Ａも貫通導体埋入絶縁板１と同様に、汎用品として有用な構成にすることができる。
【００７４】
次に、図６（ｅ）に示すように、少なくとも、絶縁層１１の一方の面に現れた層間接続導体１０２の領域をすべて覆うように、この一方の面上に導電性組成物ペースト（または金属ナノペーストか有機金属ペースト）のパターン（処理前パターン１３Ａ）を、例えばスクリーン印刷で形成する。同様に、少なくとも、絶縁層１１の他方の面に現れた層間接続導体１０２の領域をすべて覆うように、この他方の面上に導電性組成物ペースト（または金属ナノペーストか有機金属ペースト）のパターン（処理前パターン１４Ａ）を、例えばスクリーン印刷を用いて形成する。
【００７５】
これらのスクリーン印刷は、ディスペンサによって代えることができる点は、図２（ｅ）での説明と同様である。以上のようにして処理前パターン１３Ａ、１４Ａを形成後、それらの素材に対応した熱処理を行うことにより、処理前パターン１３Ａ、１４Ａを配線パターン１３、１４として完成させることができる。その後は図示しないが、さらにはんだレジスト１５、１６の形成や必要に応じて配線パターン１３、１４の部品実装用のランド領域部分にＮｉ／Ａｕのめっき層を形成することにより、図５に示した構成の配線板を得ることができる。
【００７６】
次に、図７は、さらに別の実施形態である配線板（多層配線板）の構造を模式的に示す断面図である。図７において、図５中に示した構成要素と同一または同一相当のものには同一符号を付してある。その部分については、付け加えるべき事項がない限り説明を省略する。
【００７７】
この配線板は、図５に示した配線板の構造を基本として、配線層数を増加して多層配線板とした構造のものである。内層配線層として配線パターン１４、３３を有し、最外の（主面上の）配線パターンとして配線パターン１３、３４を有する。配線パターン１３と同１４との間に絶縁層１１が位置し、配線パターン１４と同３３との間に絶縁層２１が位置し、配線パターン３３と同３４との間に絶縁層３１が位置している。内層の配線パターン２２、３３は、それぞれ、絶縁層２１の厚み方向に落ち込んで位置している。最外の配線パターン３４（１３）が設けられた主面上には、はんだレジスト３５（１５）が形成されている。
【００７８】
そして、配線パターン１３と同１４との電気的導通に層間接続導体１０２を利用できるのと同様に、配線パターン１４と同３３との電気的導通には層間接続導体２０２を利用することができ、配線パターン３３と同３４との電気的導通には層間接続導体３０２を利用することができる。層間接続導体２０２は、絶縁層２１を貫通して設けられており、層間接続導体３０２は、絶縁層３１を貫通して設けられている。この多層配線板は、以上のような構成を有する。
【００７９】
図８は、図７に示した配線板の主要な製造過程を断面で模式的に示す工程図である。具体的に、多層化するための最終的な積層工程を示している。図８において、図７中に示した構成要素と同一または同一相当のものには同一符号を付してある。
【００８０】
図８において、図示の下側に示された積層部材は、図６（ｅ）に示した途中構成のものの工程を進行させ、処理前パターン１３Ａ、１４Ａを配線パターン１３、１４として完成させた構成のものである。図４において、図示の上側に示された積層部材は、図示の下側の積層部材と同一構成のものを利用して、その配線パターン３３のある側の絶縁層３１の面上に、導電性バンプ２０２およびプリプレグ層２１Ａを設けたものである。絶縁層３１の配線パターン３３のある側の面上に導電性バンプ２０２およびプリプレグ層２１Ａを設ける工程は、図６（ａ）、（ｂ）に示された工程を参照すれば理解容易である。
【００８１】
すなわち、図６（ａ）、（ｂ）においては、離型シートＳ１上に導電性バンプ１０２Ａを形成し、続いてプリプレグ層１１Ａを積層したが、この離型シートＳ１の代わりに図８中の下側に図示されたものと同一構成のもの（絶縁層３１、層間接続導体３０２、配線パターン３３、３４を有する部材）を利用すれば、図８中の上側に示した積層部材が得られる。
【００８２】
図８に示すように２つの積層部材を配置し、積層方向に加圧かつ加熱して、導電性バンプ２０２Ａが配線パターン１４と接触して電気的導通を確立し、プリプレグ層２０１Ａおよび導電性バンプ２０２Ａが塑性変形して間を埋めるように、全体を一体化する。その後は図示しないが、さらにはんだレジスト１５、３５の形成や必要に応じて配線パターン１３、３４の部品実装用のランド領域部分にＮｉ／Ａｕのめっき層を形成することにより、図７に示した構成の配線板を得ることができる。
【符号の説明】
【００８３】
１，１Ａ…貫通導体埋入絶縁板、１１…絶縁層、１１Ａ…プリプレグ層、１１ｏ…ビアホール（貫通孔）、１２…層間接続導体（貫通孔に充填の導電性組成物を由来とする）、１２Ａ…導電性組成物（硬化前）、１３…配線パターン、１３Ａ…処理前パターン、１４…配線パターン、１４Ａ…処理前パターン、１５，１６…はんだレジスト、２１…絶縁層、２１Ａ…プリプレグ層、２２…層間接続導体、２２Ａ…導電性組成物（硬化前）、３１…絶縁層、３２…層間接続導体、３３…配線パターン、３４…配線パターン、３５…はんだレジスト、１０２，２０２，３０２…層間接続導体（スクリーン印刷された、ペースト状導電性組成物のバンプを由来とする）、１０２Ａ，２０２Ａ…導電性バンプ、Ｓ１，Ｓ２…離型シート。
【図１】
2014179517.tif 000003
【図２】
2014179517.tif 000004
【図３】
2014179517.tif 000005
【図４】
2014179517.tif 000006
【図５】
2014179517.tif 000007
【図６】
2014179517.tif 000008
【図７】
2014179517.tif 000009
【図８】
2014179517.tif 000010